(57)【要約】   【課題】  ファイルの内容の一部を不特定ユーザに開示しながらも残部を特定ユーザにのみ開示するような段階的なセキュリティ管理を行なうことのできるファイル処理システムを提供する。  【解決手段】  対象ファイルデータＦＤの一部を所定形式の第一ファイルＦ１として生成処理する第一ファイル生成手段１と、前記対象ファイルデータの残部を前記第一ファイルとは異なる形式の第二ファイルＦ２として生成する第二ファイル生成手段２と、前記第一ファイル生成手段により生成された第一ファイルに前記第二ファイル生成手段により生成された第二ファイルを付加した出力ファイルＦ３を前記第一ファイルのファイル属性を備えた出力ファイルとして生成する出力ファイル生成手段を備えるファイル処理システム。  【選択図】  図１
2007026333.tif 000002
【特許請求の範囲】
【請求項１】
対象ファイルデータの一部を所定形式の第一ファイルとして生成処理する第一ファイル生成手段と、前記対象ファイルデータの残部を前記第一ファイルとは異なる形式の第二ファイルとして生成する第二ファイル生成手段と、前記第一ファイル生成手段により生成された第一ファイルに前記第二ファイル生成手段により生成された第二ファイルを付加した出力ファイルを前記第一ファイルのファイル属性を備えた出力ファイルとして生成する出力ファイル生成手段を備えてなるファイル処理システム。
【請求項２】
前記第二ファイルに対するセキュリティ情報入力手段を備え、前記第二ファイル生成手段は、前記セキュリティ情報入力手段により入力されたセキュリティ情報が埋め込まれた前記第二ファイルを生成する請求項１記載のファイル処理システム。
【請求項３】
前記出力ファイル生成手段は、前記第二ファイルが真正なファイルであることを識別するファイル識別情報をさらに付加して前記出力ファイルを生成する請求項１または２記載のファイル処理システム。
【請求項４】
前記第一ファイル生成手段により生成される対象ファイルデータは当該対象ファイルデータのコンテンツを識別可能なデータである請求項１から３の何れかに記載のファイル処理システム。
【請求項５】
前記出力ファイル生成手段により生成された出力ファイルから前記第二ファイルを分離し、前記第二ファイルのファイル属性を備えた分離ファイルとして生成するファイル分離手段を備えてなる請求項１から４の何れかに記載のファイル処理システム。
【請求項６】
前記出力ファイル生成手段により生成された出力ファイルから前記第二ファイルを分離し、前記第二ファイルのファイル属性を備えた分離ファイルとして生成するファイル分離手段を備え、前記ファイル分離手段は、前記ファイル識別情報に基づいて真正ファイルと識別した後に前記分離ファイルを生成する請求項３記載のファイル処理システム。
【請求項７】
前記ファイル分離手段は、前記分離ファイルを生成した後に前記分離ファイルを開くアプリケーションを起動する請求項５または６記載のファイル処理システム。
【発明の詳細な説明】
【技術分野】
【０００１】
本発明は、コンピュータで利用される各種のファイルに対して、任意のユーザからアクセス可能でありながら特定ユーザのみ利用可能なファイルを生成するファイル処理システムに関する。
【背景技術】
【０００２】
コンピュータ上で動作する個別のアプリケーションに、生成されたファイルに所定のパスワードを付加することによりファイルの読み取りや書き込みに関するセキュリティを確保するファイル管理手段を備えた技術が一般に使用されている。
【０００３】
また、個別鍵を鍵情報としてファイルと一緒に保管しておくことにより、個別鍵を喪失した場合にも鍵情報より個別鍵を再生成できる装置で、個別鍵の数が増えた場合にもそのための特別な操作を必要としないデータ機密保護装置を提供することを目的として、データから成るファイルを保護するために、該ファイルを鍵情報を用いて暗号化して暗号ファイルを作成するデータ機密保護装置の暗号装置において、前記ファイルの識別情報を入力するためのファイル識別情報入力部と、前記ファイルから前記データを読み込むためのファイル読み込み部と、個別鍵を入力するための個別鍵入力部と、公開鍵を入力するための公開鍵入力部と、前記個別鍵入力部より入力された前記個別鍵を用いて前記ファイル読み込み部により読み込まれた前記ファイルを暗号化する暗号化部と、前記公開鍵入力部より入力された前記公開鍵を用いて前記個別鍵を前記鍵情報へ変換する鍵情報生成部と、前記暗号化部で暗号化された前記暗号文に前記鍵情報を付加する個別鍵情報付加部とから構成されることを特徴とするデータ機密保護装置における暗号装置が提案されている。
【０００４】
さらに、パスワードの設定、入力および利用者の認証が人手を介さずに自動的に行われる電子文書のセキュリティシステムなどを提供することを目的として、利用者情報記憶手段とパスワード記憶手段と利用者認証手段とを備えたサーバと、セキュリティ管理手段とセキュリティ保護された電子文書のセキュリティを解除する機能を有する電子文書閲覧手段とを備えた少なくとも一以上の情報端末機器と、セキュリティ保護された電子文書が保存される電子文書記憶手段とが相互に通信できるようにネットワーク接続され、前記セキュリティ管理手段は、前記情報端末機器それぞれ固有の利用者情報を前記利用者情報記憶手段に登録する利用者登録機能と、前記セキュリティ保護される電子文書ごとにセキュリティ解除のためのパスワードを自動生成し、そのパスワードを当該電子文書情報と共に前記パスワード記憶手段に登録するパスワード生成登録機能と、セキュリティ保護された電子文書が電子文書閲覧手段でアクセスされる場合に当該電子文書閲覧手段がインストールされている情報端末機器の利用者情報を当該セキュリティ保護された電子文書情報と共に前記利用者認証手段へ自動的に送信し、前記利用者認証手段から送信されるパスワードを受信し電子文書閲覧手段に通知する通信機能とを備え、前記利用者認証手段は、前記情報端末機器から受信した利用者情報と利用者情報記憶手段に登録されている利用者情報とを照合し、一致する場合に前記パスワード記憶手段に登録された当該電子文書に対応するパスワードを利用者情報送信元の情報端末機器のセキュリティ管理手段へ送信する機能を備えたことを特徴とする電子文書のセキュリティシステムが提案されている。
【特許文献１】特開平７−５６５０７号公報
【特許文献２】特開２００３−２４２０３５号公報
【発明の開示】
【発明が解決しようとする課題】
【０００５】
しかし、上述した従来技術では、何れもファイル全体に対してセキュリティを確保するものであり、パスワードや暗号解読キーを所有していても多くのファイルから対象となるファイルを適切に選択するのが非常に困難となっていた。
【０００６】
例えば、重要な会議議事録のような複数の社内機密文書がファイルサーバに格納されているような場合に、どの文書ファイルがどのような内容の文書であるかを容易に判断することができず、そのような機密文書にアクセスするパスワードを把握していても適切にファイルを選択できないという問題があった。
【０００７】
本発明は、従来欠点に鑑み、ファイルの内容の一部を不特定ユーザに開示しながらも残部を特定ユーザにのみ開示するような段階的なセキュリティ管理を行なうことのできるファイル処理システムを提供する点にある。
【課題を解決するための手段】
【０００８】
上述の目的を達成するため、本発明によるファイル処理システムの第一の特徴構成は、特許請求の範囲の書類の請求項１に記載した通り、対象ファイルデータの一部を所定形式の第一ファイルとして生成処理する第一ファイル生成手段と、前記対象ファイルデータの残部を前記第一ファイルとは異なる形式の第二ファイルとして生成する第二ファイル生成手段と、前記第一ファイル生成手段により生成された第一ファイルに前記第二ファイル生成手段により生成された第二ファイルを付加した出力ファイルを前記第一ファイルのファイル属性を備えた出力ファイルとして生成する出力ファイル生成手段を備えてなる点にある。
【０００９】
上述の構成によれば、出力ファイル生成手段によって生成された出力ファイルが第一ファイルのファイル属性を備えているために、操作者により当該出力ファイルをオープンするように操作される（例えばダブルクリック）と、ＯＳのファイル管理システムにより当該ファイル属性に対応するアプリケーション、つまり第一ファイルに対応するアプリケーションが起動され、その結果、当該アプリケーションによって第一ファイルがオープンされるが、対応していない第二ファイルはオープンされることがない。従って、不特定のユーザにとってはオープンされた内容のみのファイルとしか認識できず、第二ファイルの内容を把握することも存在そのものの認識もされないのである。一方、出力ファイルに隠しファイルが存在することを理解している特定のユーザは、オープンされた第一ファイルの何らかの内容に基づいて第二ファイルの存在を確認できるようになるのである。
【００１０】
同第二の特徴構成は、同請求項２に記載した通り、上述の第一特徴構成に加えて、前記第二ファイルに対するセキュリティ情報入力手段を備え、前記第二ファイル生成手段は、前記セキュリティ情報入力手段により入力されたセキュリティ情報が埋め込まれた前記第二ファイルを生成する点にある。
【００１１】
上述の構成によれば、仮に第二ファイルの存在に気付いた不特定のユーザが出力ファイルを編集して第二ファイルをオープンしようとしても、セキュリティ情報が不明のためにファイルをオープンすることができないのである。
【００１２】
同第三の特徴構成は、同請求項３に記載した通り、上述の第一または第二特徴構成に加えて、前記出力ファイル生成手段は、前記第二ファイルが真正なファイルであることを識別するファイル識別情報をさらに付加して前記出力ファイルを生成する点にある。
【００１３】
上述の構成によれば、仮に他のアプリケーションで同様のファイル構造を備えた出力ファイルが生成される場合であっても、ファイル識別情報に基づいて前記出力ファイル生成手段によって生成された真正なファイルであるか否かが判断できるようになるので、セキュリティの信頼性を向上させることができる。
【００１４】
同第四の特徴構成は、同請求項４に記載した通り、上述の第一から第三の何れかの特徴構成に加えて、前記第一ファイル生成手段により生成される対象ファイルデータは当該対象ファイルデータのコンテンツを識別可能なデータである点にある。
【００１５】
上述の構成によれば、第二ファイルの存在を認識している特定のユーザにとっては、オープンされた第一ファイルの内容から第二ファイルの内容がどのようなものであるかを適切に把握できるので、複数のファイルから必要としているファイルを適切に選択することができるようになる。
【００１６】
同第五の特徴構成は、同請求項５に記載した通り、上述の第一から第四の何れかの特徴構成に加えて、前記出力ファイル生成手段により生成された出力ファイルから前記第二ファイルを分離し、前記第二ファイルのファイル属性を備えた分離ファイルとして生成するファイル分離手段を備えてなる点にある。
【００１７】
上述の構成によれば、ファイル分離手段により出力ファイルから第二ファイルが分離され、しかも分離された第二ファイルがそのファイル属性を備えたファイルとして分離されるので、ユーザは分離された第二ファイルを適切にオープンさせることができるようになるのである。ここで、第二特徴構成を備える場合にはセキュリティ情報を認識しえない不特定のユーザは第二ファイルをオープンさせることができないので一定のセキュリティレベルを確保することができるのである。
【００１８】
同第六の特徴構成は、同請求項６に記載した通り、上述の第三特徴構成に加えて、前記出力ファイル生成手段により生成された出力ファイルから前記第二ファイルを分離し、前記第二ファイルのファイル属性を備えた分離ファイルとして生成するファイル分離手段を備え、前記ファイル分離手段は、前記ファイル識別情報に基づいて真正ファイルと識別した後に前記分離ファイルを生成する点にある。
【００１９】
上述の構成によれば、ファイル識別情報に基づいて当該出力ファイルが上述の出力ファイル生成手段によって真正に生成されたものであるか否かが容易に判別できるので、ファイルのセキュリティを一層向上させることができるようになる。
【００２０】
同第七の特徴構成は、同請求項７に記載した通り、上述の第五または第六特徴構成に加えて、前記ファイル分離手段は、前記分離ファイルを生成した後に前記分離ファイルを開くアプリケーションを起動する点にある。
【００２１】
上述の構成によれば、第二ファイルがファイル分離手段により分離された後に自動的にオープンされるので、利便性を一層向上させることができるようになるのである。
【発明の効果】
【００２２】
以上説明した通り、本発明によれば、ファイルの内容の一部を不特定ユーザに開示しながらも残部を特定ユーザにのみ開示するような段階的なセキュリティ管理を行なうことのできるファイル処理システムを提供することができるようになった。
【発明を実施するための最良の形態】
【００２３】
以下に本発明によるファイル処理システムを説明する。当該ファイル処理システムはパーソナルコンピュータ上で実現され、例えばマイクロソフト社のＯＳ（Ｏｐｅｒａｔｉｎｇ  Ｓｙｓｔｅｍ）であるウィンドウズ(登録商標)上で動作するアプリケーションにより生成されたファイルが、ＯＳとアプリケーションの間で引渡し処理されるシステムコールの一つであるファイル管理プログラムにより管理される環境下で実現されている。
【００２４】
前記ファイル処理システムＦＳは、図１に示すように、対象ファイルデータＦＤの一部を所定形式の第一ファイルＦ１として生成処理する第一ファイル生成手段１と、前記対象ファイルデータＦＤの残部を前記第一ファイルＦ１とは異なる形式の第二ファイルＦ２として生成する第二ファイル生成手段２と、前記第一ファイル生成手段１により生成された第一ファイルＦ１に前記第二ファイル生成手段２により生成された第二ファイルＦ２を付加した出力ファイルＦ３を前記第一ファイルＦ１のファイル属性を備えた出力ファイルＦ３として生成する出力ファイル生成手段３及び後述するファイル分離手段を備えて構成される。
【００２５】
前記第二ファイルＦ２に対するセキュリティ情報入力手段２１を備え、前記第二ファイル生成手段２は、前記セキュリティ情報入力手段２１により入力されたセキュリティ情報が埋め込まれた前記第二ファイルＦ２を生成するように構成され、前記出力ファイル生成手段３は、前記第二ファイルＦ２が真正なファイルであることを識別するファイル識別情報をさらに付加して前記出力ファイルＦ３を生成するように構成されている。
【００２６】
一例として、上述のＯＳがインストールされたパーソナルコンピュータ上で、文書作成アプリケーションにより作成された会議議事録としての対象ファイルデータＦＤを当該ファイル処理システムＦＳによって所定の出力ファイルに編集生成する場合を説明する。
【００２７】
具体的には、図２に示すように、文書作成アプリケーションによって作成された会議議事録である対象ファイルデータＦＤがオープンされている状態で前記ファイル処理システムＦＳとしての専用アプリケーションであるプリンタドライバ（ＰＤＦ埋め込みドライバ）が起動され、所定の設定入力が行なわれた後に、対象ファイルデータに対して指定された一部のページデータ（ここでは第１ページ）が第一ファイル生成手段１によりＪＰＥＧ画像ファイルとして生成され、残余のページデータまたは全ページデータが第二ファイル生成手段２によりＰＤＦファイルとして生成され、さらに出力ファイル生成手段３により第一ファイルＦ１であるＪＰＥＧ画像ファイルに第二ファイルＦ２であるＰＤＦファイルが付加されたファイルがその属性としての拡張子（．ｊｐｇ）を有するＪＰＥＧ画像ファイルとして生成される。
【００２８】
生成された出力ファイルＦ３は、図４に示すように、第一ファイルＦ１が、ＪＰＥＧヘッダー部と、作成日時等の属性データやサムネイル画像データが配置されたＪＰＥＧ情報データ部と、第１ページ目のページデータでなるＪＰＥＧ画像が配置されたＪＰＥＧ画像データ部とからなるＪＰＥＧファイルフォーマットで構成され、その後段に第二ファイルが真正なファイルであることを識別するファイル識別情報等が配置されたファイル情報格納部と、残余のページデータまたは全ページデータでなる第二ファイルＦ２に対応するＰＤＦファイルが配置されたファイル実データ部を備えて構成される。前記ファイル情報格納部は、例えば１０２４バイトの固定長で当該プリンタドライバ（ＰＤＦ埋め込みドライバ）により生成されたファイルであることを示す認証情報、当該ＰＤＦファイルの属性情報であるファイル名称、ファイル作成日時、ＰＤＦファイルのデータサイズ及びチェックサム等で構成される。
【００２９】
一般にＪＰＥＧヘッダー部の先頭には《Ｓｔａｒｔ  ｏｆ  ｉｍａｇｅ》を示す所定の２バイトデータ（図中、黒丸で示す）が配置され、その後にＪＰＥＧ情報データ部とＪＰＥＧ画像データ部等に対応する先頭アドレス情報等が記録される。さらにＪＰＥＧ画像データ部の最後部に《Ｅｎｄ  ｏｆ  Ｉｍａｇｅ》を示す２バイトデータ（図中、白丸で示す）が付加される。
【００３０】
ＪＰＥＧ画像ファイルで表された第一ファイルＦ１に付加されたファイル情報格納部とファイル実データ部の先頭には、本発明による出力ファイル生成手段３によって付加されたファイルの先頭位置であることを示す《ＫＭ  Ｅｍｂｅｄｄｅｄ  Ｉｍａｇｅ  Ｓｔａｒｔ》を示す数バイトの先頭データ（図中、黒三角で示す）が配置され、最後部には付加されたファイルの最終位置を示す《ＫＭ  Ｅｍｂｅｄｄｅｄ  Ｉｍａｇｅ  Ｅｎｄ》を示す数バイトの終了データ（図中、白三角で示す）が配置される。
【００３１】
このようなファイルフォーマットで生成された出力ファイルはＪＰＥＧファイルとして認識されるので、ＪＰＥＧ画像ファイルに対応する各種の表示アプリケーションやＷｅｂブラウザは、《Ｓｔａｒｔ  ｏｆ  ｉｍａｇｅ》及び《Ｅｎｄ  ｏｆ  Ｉｍａｇｅ》に囲まれた範囲をＪＰＥＧファイル領域と認識し、ＪＰＥＧヘッダー部に記憶されているＪＰＥＧ画像データ部の先頭アドレス情報に基づいて画像データを読み出し、所定の伸張処理を施した後に付属のディスプレイにその画像を表示させる。
【００３２】
このとき出力ファイルＦ３の《Ｅｎｄ  ｏｆ  Ｉｍａｇｅ》以降のデータは、ＪＰＥＧ画像ファイルに対応する表示アプリケーション等によって無視されるので、それ以降のデータが表示されるようなことが無い、つまり、不特定のユーザがＪＥＰＧファイルと認識して、対応するアプリケーションを起動しても後段の第二ファイルが読み出されることが無いのである。そして、出力ファイルＦ３のファイル名称やファイルサイズ等の管理データはＯＳのファイル管理プログラムによって別途管理されているのでネットワークを介した転送、コピー等の複製処理によって出力ファイルから第二ファイルが欠落するような事態は発生することが無い。
【００３３】
このようにして表示された画像は元のファイルデータの第１ページ目に対応する画像であるので、元のファイルデータの第１ページ目に当該ファイルの概要が把握可能な内容、例えば、会議議事録であれば開催日時や議題等を記載することにより、特定のユーザであれば必要なファイルであるか否かの見当をつけることができるようになるのである。つまり、前記第一ファイル生成手段１により生成される対象ファイルデータＦＤは当該対象ファイルデータＦＤのコンテンツを識別可能なデータとなる。
【００３４】
上述の専用アプリケーションであるプリンタドライバの動作を、図５に示すフローチャートに基づいて説明する。任意のアプリケーションを起動して対象ファイルを生成しまたはフォルダ内の対象ファイルをオープンする（ＳＡ１）。当該ファイルがオープンされた状態で、プリンタドライバの一つであるＰＤＦ埋め込みドライバがファイル処理システムＦＳとして起動すると、図２に示すプリンタドライバの設定画面１０が表示される。
【００３５】
設定画面１０のＰＤＦ／セキュリティ設定タブ１１画面で、出力ファイルの保存先フォルダ欄１２に保存先フォルダを設定し（ＳＡ２）、表紙処理欄１３に第一ファイルＦ１としてＪＰＥＧ画像ファイルを生成する対象を設定する（ＳＡ３）。ここに、図３に示すように、選択肢として文書の１ページ目を第一ファイルＦ１とし、１ページから最終ページを第二ファイルＦ２とするか、文書の１ページ目を第一ファイルＦ１とし、２ページから最終ページを第二ファイルＦ２とするか、第一ファイルを他のファイルデータからインポートするとともに１ページから最終ページを第二ファイルＦ２とするかの何れかが選択可能に構成されている（ＳＡ３，ＳＡ４）。
【００３６】
次に、ＰＤＦファイル操作の制限欄１４で、ＰＤＦファイルとして生成される第二ファイルＦ２に対するセキュリティ情報の設定入力を行なう。具体的にはファイルをオープンするためのユーザーパスワードと、ファイルのアクセス権、つまり印刷を許可するか、文書変更を許可するか等の詳細のセキュリティ条件を設定するマスターパスワードの何れかまたは双方を設定する（ＳＡ５）。ユーザーパスワードのみ設定される場合には、文書の印刷、変更等がフリーとなり、マスターパスワードが設定される場合に、ユーザーパスワードでオープンされたファイルは上述の印刷、変更等の設定条件に基づいてアクセス権が制限される。
【００３７】
次に文書情報タブ１５にファイル名称等を設定して《ＯＫ》ボタンをクリックすると（ＳＡ６）、第一ファイル生成手段１により第一アプリケーションが起動されて指定された第一ファイルＦ２となるファイルデータに対してＪＰＥＧ画像ファイルが生成され（ＳＡ７）、続いて第二ファイル生成手段２により第二アプリケーションが起動されて指定された第二ファイルとなるファイルデータに対してＰＤＦファイルが生成される（ＳＡ８）。
【００３８】
さらに、出力ファイル生成手段３により前記ＪＰＥＧ画像ファイルの後段に上述した《ＫＭ  Ｅｍｂｅｄｄｅｄ  Ｉｍａｇｅ  Ｓｔａｒｔ》及び《ＫＭ  Ｅｍｂｅｄｄｅｄ  Ｉｍａｇｅ  Ｅｎｄ》でなる挿入ファイルの識別マーカで囲まれる領域に上述のファイル情報格納部とＰＤＦファイルが配置され（ＳＡ９）、それらが一体となったＪＰＥＧ画像ファイルとしてＯＳのファイル管理プログラムに引き渡され、指定された保存フォルダに格納される（ＳＡ１０）。尚、このとき挿入ファイルが複数存在する場合には、前記識別マーカとその識別マーカで囲まれるファイル情報格納部及びＰＤＦファイルの組を複数組連続して配置することができる。
【００３９】
上述のようにしてＪＰＥＧ画像ファイルをオープン可能な汎用のアプリケーションによりファイルの概要が確認され、必要なファイルであると判断した特定のユーザが前記出力ファイルＦ３をオープンする必要があるときには、専用の閲覧アプリケーションを起動する。以下、図７に示すフローチャートに基づいて説明する。前記出力ファイルのアイコンを閲覧アプリケーションのアイコンにドラッグアンドドロップ操作することにより当該アプリケーションが起動される（ＳＢ１，ＳＢ２）。
【００４０】
前記閲覧アプリケーションは、図６に示すように、前記出力ファイル生成手段３により生成された出力ファイルＦ３から前記第二ファイルＦ２を分離し、前記第二ファイルＦ２のファイル属性を備えた分離ファイルＦ４として生成するファイル分離手段４を備え構成される。
【００４１】
前記ファイル分離手段４は、《Ｓｔａｒｔ  ｏｆ  ｉｍａｇｅ》及び《Ｅｎｄ  ｏｆ  Ｉｍａｇｅ》に囲まれた範囲をＪＰＥＧファイル領域と認識するとともに（ＳＢ３）、《ＫＭ  Ｅｍｂｅｄｄｅｄ  Ｉｍａｇｅ  Ｓｔａｒｔ》及び《ＫＭ  Ｅｍｂｅｄｄｅｄ  Ｉｍａｇｅ  Ｅｎｄ》でなる挿入ファイルの識別マーカで囲まれる領域をＰＤＦファイル領域として認識し（ＳＢ４）、ＰＤＦファイル領域に存在するＰＤＦファイルを分離して対応するアプリケーションであるアクロバットリーダを起動する。
【００４２】
詳述すると、ファイルの分離時に前記識別マーカが認識されない場合には、形式が異なるためにファイルがオープンされない旨のエラーメッセージが表示され（ＳＢ１０）、前記識別マーカが認識された場合には、ファイル情報格納部に配置されたファイル識別情報である前記認証情報を照合してファイルの真正性が識別された後に（ＳＢ６）、前記データサイズに基づいて当該ＰＤＦファイルを分離し、チェックサムを検査した後にアクロバットリーダが起動される（ＳＢ７）。ファイルの真正性が確認されない場合にはステップＳＢ１０でエラーメッセージが表示される（ＳＢ１０）。尚、前記認証情報によるファイルの真正性判断は必ずしも必要とされるものではなく、前記識別マーカの存在非存在によりファイルの真正性判断を行なうものであってもよい。
【００４３】
起動されたアクロバットリーダは、上述のステップＳＡ５で設定されたセキュリティ情報であるパスワードの入力を要求する画面を表示し、入力されたパスワードと照合して一致すれば（ＳＢ８）、当該ＰＤＦファイルをオープンし（ＳＢ９）、不一致であればエラーメッセージを表示して再度パスワードの設定入力を促す。
【００４４】
《ＫＭ  Ｅｍｂｅｄｄｅｄ  Ｉｍａｇｅ  Ｓｔａｒｔ》及び《ＫＭ  Ｅｍｂｅｄｄｅｄ  Ｉｍａｇｅ  Ｅｎｄ》でなる挿入ファイルの識別マーカで囲まれる領域が複数存在する場合には、ステップＳＢ４からＳＢ１０の処理が繰り返されることになる。
【００４５】
上述した実施形態では、第一ファイルＦ１がＪＰＥＧ画像ファイルで構成され、第二ファイルＦ２がＰＤＦファイルで構成されたものを説明したが、第一ファイルＦ１はＪＰＥＧ画像ファイルに限るものではなく、少なくとも《Ｓｔａｒｔ  ｏｆ  ｉｍａｇｅ》及び《Ｅｎｄ  ｏｆ  Ｉｍａｇｅ》のような識別子に囲まれた範囲を有効なファイル領域と認識し、その範囲のデータに基づいてファイルをオープンすることが可能なアプリケーションに対応するものであればＴＩＦＦファイルのような画像ファイルであってもテキストファイルであってもよく、また、第二ファイルＦ２もＰＤＦファイルに限定するものではなく、汎用のアプリケーションに対応する任意の画像ファイルまたは文書ファイルで構成されるものであってもよい。
【００４６】
上述した実施形態は、本発明の一例に過ぎず、ファイル処理システムＦＳを構成する各機能ブロックの具体的な構成は本発明の作用効果を奏する範囲において適宜変更設計できることはいうまでもない。
【図面の簡単な説明】
【００４７】
【図１】ファイル処理システムＦＳの要部のブロック構成図
【図２】出力ファイル生成手順の説明図
【図３】対象ファイルデータの説明図
【図４】出力ファイルのファイル構造説明図
【図５】出力ファイルの生成手順を示すフローチャート
【図６】ファイル処理システムＦＳの要部のブロック構成図
【図７】出力ファイルの分離手順を示すフローチャート
【符号の説明】
【００４８】
１：第一ファイル生成手段
２：第二ファイル生成手段
３：出力ファイル生成手段
４：ファイル分離手段
Ｆ１：第一ファイル
Ｆ２：第二ファイル
Ｆ３：出力ファイル
ＦＤ：対象ファイルデータ
ＦＳ：ファイルシステム
【図１】
2007026333.tif 000003
【図４】
2007026333.tif 000004
【図５】
2007026333.tif 000005
【図６】
2007026333.tif 000006
【図７】
2007026333.tif 000007
【図２】
2007026333.tif 000008
【図３】
2007026333.tif 000009